(57)【要約】着信履歴の番号に関連付けられた追加情報にアクセスして、前記情報を使用して通信接続を確立するための方法およびシステム。番号は、着信履歴において選択される。別の連絡先情報が利用可能であることを示すアイコンに関連付けられた機能が起動される。着信履歴に関連付けられた拡張サブメニューは、選択された連絡先に関連付けられた選択可能な別の連絡先情報を表示するデバイスの端末に表示される。次いで、別の連絡先情報のうちの1つを選択することができる。選択された連絡先に関連付けられたアイコンを起動することによって、連絡先と通信するための1つ以上のオプションが示され、これを選択して通信リンクを確立することができる。【選択図】図７
2008544618.tif 000002
【特許請求の範囲】
【請求項１】
通信接続を確立するために、着信履歴内の連絡先に関連付けられた別の通信情報にアクセスするための方法であって、
・  前記着信履歴内の連絡先を選択するステップと、
・  前記選択された連絡先に関連付けられた拡張サブメニューを選択することと、
・  前記選択された連絡先に関連付けられた選択可能な別の連絡先情報を表示することと、
・  前記別の連絡先情報のうちの１つを選択することと、
・  前記別の連絡先情報を使用して、前記連絡先との通信リンクを確立するために、通信オプションメニューから通信オプションを選択することと、
を含む方法。
【請求項２】
前記着信履歴は、不在着信ログ、受信通話ログ、および発信通話ログを含む、請求項１に記載の方法。
【請求項３】
前記着信履歴内の連絡先を選択することは、
・  電話器の複数の通話ログ機能のうちの１つを起動させることと、
・  前記起動させた通話ログ機能に関連する少なくとも１つの連絡先を表示するステップと、
・  前記起動させた通話ログ内の前記少なくとも１つの連絡先から連絡先を選択することと、
をさらに含む請求項１に記載の方法。
【請求項４】
拡張サブメニューを選択することは、
・  前記選択された連絡先に関連する別の連絡先情報をメモリデバイスから検索するステップと、
・  前記別の連絡先情報を同定することと、
・  前記別の連絡先情報をリストに表示することと、
を含む請求項１に記載の方法。
【請求項５】
前記連絡先をハイライトするために、前記デバイスの第一のキー入力を使用することと、
・  前記拡張サブメニューを起動させるために、前記デバイスの第二のキー入力を使用することと、
・  前記拡張サブメニュー内のリストをスクロールして、別の連絡先情報をハイライトするために、前記デバイスの第三のキー入力を使用するステップと、
・  前記別の連絡先情報と通信すべく通信オプションリストを起動させるために、第四のキー入力を使用することと、
をさらに含む請求項１に記載の方法。
【請求項６】
前記着信履歴内の連絡先を選択した後に、前記選択された連絡先に関連付けられたアイコンの存在によって、前記選択された連絡先に関連する別の連絡先情報が利用可能であるかどうかを識別することをさらに含む、請求項１に記載の方法。
【請求項７】
前記選択された連絡先に関連付けられた前記拡張メニューを選択するために、どのキー入力を起動させるべきかを識別するアイコンをさらに含む、請求項６に記載の方法。
【請求項８】
通信端末の着信履歴から連絡先との通信リンクを確立するための方法であって、
・  着信履歴メニュー内で名前識別子を選択するステップと、
・  前記名前識別子に関連付けられた少なくとも１つの別の連絡先情報が、前記通信端末のメモリに格納されているかどうかを判断することと、
・  前記少なくとも１つの別の連絡先情報が利用可能である場合に、前記通信端末の拡張サブメニュー機能を選択することと、
・  前記拡張サブメニューから前記少なくとも１つの別の連絡先情報を選択することと、
・  前記選択された少なくとも１つの別の連絡先情報を使用した通信に使用すべき通信モードを選択することと、
を含む方法。
【請求項９】
前記拡張サブメニュー機能を選択することは、
・  前記拡張サブメニューに対する着信履歴メニュー上のポインタを起動させるステップと、
・  前記少なくとも１つの別の連絡先情報および通信モードサブメニューに対する少なくとも１つのポインタのリストを含む最上位のサブメニューを前記着信履歴メニュー上に示すことと、
を含む請求項８に記載の方法。
【請求項１０】
通信モードサブメニューに対する前記少なくとも１つのポインタを起動させることと、
・  前記選択された少なくとも１つの別の連絡先情報のうちの１つを使用して前記名前識別子の相手と通信するための、少なくとも１つの通信モードのリストを含む別の最上位のサブメニューを前記拡張サブメニュー上に示すことをさらに含み、
・  前記リストから前記少なくとも１つの通信モードのうちの１つを選択することが、ユーザーが前記相手と通信することを可能とする、
請求項９に記載の方法。
【請求項１１】
モバイル通信システムであって、
・  着信履歴メニューをユーザーに示すための第一の処理手段であって、前記着信履歴メニューは、前記ユーザーが選択することができる少なくとも１つのデータ項目を含む第一の処理手段と、
・  別の連絡先情報が前記選択されるデータ項目で利用可能であることを識別するための第二の処理手段と、
・  前記選択されるデータ項目に関連付けられたサブメニュー機能の選択後に、前記ユーザーにサブメニューを示すための第三の処理手段であって、前記サブメニューは、前記選択されたデータ項目のための別の連絡先情報を含む第三の処理手段と、
を含むモバイル通信システム。
【請求項１２】
前記モバイル通信デバイスは、携帯電話を含む、請求項１１に記載のモバイル通信システム。
【請求項１３】
通話オプションサブメニューをさらに含み、前記通話オプションサブメニューは、前記別の連絡先情報のうちの１つを選択した後に表示される、請求項１１に記載のモバイル通信システム。
【請求項１４】
前記第二の処理手段は、起動したときに、別の連絡先情報のサブメニューを表示できるようにする選択可能なアイコンをさらに含み、前記別の連絡先情報のサブメニューは、
・  いずれかの更なる別の連絡先情報が利用可能であることを表示するかどうかを示すための少なくとも１つの選択可能なアイコンと、
・  通信オプションシステムを起動させるための別の連絡先情報のそれぞれに関連付けられた選択可能なアイコンと、
を含む請求項１１に記載のモバイル通信システム。
【請求項１５】
前記通信オプションシステムは、電話接続システム、電子メッセージシステム、またはマルチメディアメッセージングシステムをさらに備える、請求項１４に記載のモバイル通信システム。
【請求項１６】
コンピュータに、着信履歴内の連絡先に対する別の連絡先情報にアクセスおよび接続させるための、コンピュータ可読のコード手段を統合した、コンピュータで使用可能な媒体を備えるコンピュータプログラムであって、前記コンピュータプログラム内の前記コンピュータ可読のコード手段は、
・  コンピュータに、前記着信履歴内の連絡先を選択することを生じさせるためのコンピュータ可読のプログラムコード手段と、
・  コンピュータに、前記選択された連絡先に関連付けられた拡張サブメニューを選択することを生じさせるためのコンピュータ可読のプログラムコード手段と、
・  コンピュータに、前記選択された連絡先に関連付けられた選択可能な別の連絡先情報を表示することを生じさせるためのコンピュータ可読のプログラムコード手段と、
・  コンピュータに、前記別の連絡先情報のうちの１つを選択することを生じさせるためのコンピュータ可読のプログラムコード手段と、
・  コンピュータに、前記連絡先との通信リンクを確立するために、少なくとも１つの通信オプションを表示および選択することを生じさせるためのコンピュータ可読のプログラムコード手段と、
を備えるコンピュータプログラム。
【請求項１７】
コンピュータに、連絡先情報を選択させて、前記連絡先情報を使用して連絡先と接続するための、コンピュータ可読のコード手段を統合したコンピュータで使用可能な媒体を備える製品であって、前記製品内の前記コンピュータ可読のコード手段は、
・  コンピュータに、通信端末の着信履歴メニュー内の連絡先識別子を選択することを生じさせるためのコンピュータ可読のプログラムコード手段と、
・  コンピュータに、前記連絡先に関連付けられた別の連絡先情報が利用可能であるかどうかを判断することを生じさせるためのコンピュータ可読のプログラムコード手段と、
・  コンピュータに、前記連絡先に関連付けられた別の連絡先情報のサブメニューを表示することを生じさせるためのコンピュータ可読のプログラムコード手段と、
・  コンピュータに、前記別の連絡先情報のうちの１つを選択することを生じさせるためのコンピュータ可読のプログラムコード手段と、
・  コンピュータに、前記別の連絡先情報を使用して前記連絡先との通信接続を確立するために、少なくとも１つの通信オプションを表示および選択することを生じさせるためのコンピュータ可読のプログラムコード手段と、
・  コンピュータに、前記別の連絡先情報を使用して前記連絡先との通信接続を確立することを生じさせるためのコンピュータ可読のプログラムコード手段と、
を備える製品。
【発明の詳細な説明】
【技術分野】
【０００１】
本発明は、モバイル通信システムのようなコンピュータ端末のユーザーインターフェースの動作に関し、より具体的には、モバイル通信デバイス内の連絡先情報へのアクセスを容易にするためのサブメニューシステムに関する。
【背景技術】
【０００２】
携帯電話では、ユーザーは、一般的に、電話器の通話記録（Call Log）または着信履歴（Call Register）メニューを起動することによって、「不在着信（Missed Call）」、「発信番号（Dialed Numbers）」、または「受信通話（Received calls）」を探索することができる。前記メニューでは、電話番号は、一般的に、通話順に、あるいは時間または日付で表示される。番号がデバイスのメモリ内のエントリと一致した場合、デバイスに関連付けられた名前または他の格納された情報が、通話ログまたは着信履歴リストに表示される。一般的に、ユーザーは、電話器の着信履歴または通話ログメニューを起動させて、不在通話、受信通話、または発信番号を確認することができる。通話ログに関連するオプションには、例えば、通話時間、メッセージの送信、番号確認、番号の編集、保存、連絡先への追加、削除、または通話が挙げられる。しかし、ユーザーが、着信履歴に格納された名前の他の関連する連絡先情報を確認したい場合、ユーザーは、その名前を記憶してから電話帳内を検索しなければならず、これは一般的に、着信履歴メニューを抜けて、アドレス帳、連絡先リスト、または関連する連絡先情報を利用することが可能な他の領域にアクセスする必要がある。
【０００３】
ユーザーは、相手方に連絡するために、着信履歴内に保存された番号にアクセスして、その同じ番号にダイヤル、リダイヤル、または再接続することができる。これは、基本的に「直接」ダイヤルまたはリダイヤルシステムである。電話器のユーザーが出られなかった、ダイヤルした、または受けた番号は、履歴に格納された番号（または名前）であり、ユーザーは、電話器の対応する機能（例、通話または送信）を押すか起動させることによって、同じ番号にリダイヤルすることができる。
【０００４】
しかし、ユーザーが、出られなかった、ダイヤルした、または受けた番号以外の番号を使用して、相手方と通話または連絡したい場合、ユーザーは、通話ログまたは履歴メニューを抜けて、ユーザーが新しい連絡先データを選択することができる関連する連絡先情報を含んでいる、別のメニューにアクセスしなければならなくなる。そのプロセスは、複数のステップを伴うことになるだろう。
【０００５】
携帯電話のユーザーが、他の連絡先リストを検索してまわることを必要とせず、容易かつ直接的に、通話ログまたは履歴内のあらゆるエントリに関連する別の電話番号または連絡先情報を見つけて利用できるようにすれば、便利であろう。
【発明の摘要】
【０００６】
本発明は、着信履歴または通話ログのメニューまたは機能に関連するか、または関連付けられた別の連絡先情報にアクセスする方法に関する。一実施形態では、前記方法は、通話ログメニュー内の1つ以上の連絡先から1つの連絡先を選択することを含む。所望の連絡先を選択した後、ユーザーは、他の関連する、または関連付けられた情報を含む連絡先に関連付けられた別のメニューにアクセスすることができる。前記ユーザーは、前記選択された連絡先に関連付けられたアイコンまたはオブジェクトに対応する電話器の機能を起動させることによって、サブメニューにアクセスすることができる。例えば、連絡先メニューに隣接した「右」矢印またはポインタが前記サブメニューにある場合、前記ユーザーが電話器の前記「右」移動ボタンを押すと、前記別の連絡先情報を有する前記サブメニューが表示される。
【０００７】
前記サブメニューは、前記連絡先に関連付けられた他の関連する連絡先情報を示す。前記情報には、例えば、他の電話番号または電子メールアドレスが挙げられる。
【０００８】
前記ユーザーは、次いでリストから所望の他の連絡先情報を選択して、通信モードに関連する前記電話器の別のサブメニューにアクセスすることができる。前記ユーザーは、次いで前記通信モードを選択および起動させて、前記相手方と通話または通信することができる。
【図面の簡単な説明】
【０００９】
本発明の上述の側面および他の機能は、添付図面と関連させながら、以下の記述において説明される。
【００１０】
【図１】本発明の機能を組み込んだモバイル端末の一実施形態の正面および背面の斜視図である。
【００１１】
【図２】本発明の機能を組み込んで実行することができるモバイル端末のアーキテクチャの一実施形態を示すブロック図である。
【００１２】
【図３】本発明の機能を組み込んだモバイル端末通信システムの通話記録機能メニューの一実施形態のスクリーンショットを示す図である。
【００１３】
【図４】本発明の機能を組み込んだモバイル端末通信システムの不在着信メニューの一実施形態のスクリーンショットを示す図である。
【００１４】
【図５】図5a〜図5dは、本発明の機能を組み込んだ通信システムにおけるメニュー構造の実施形態のスクリーンショットを示す図である。
【００１５】
【図６】図6a〜図6dは、本発明の機能を組み込んだ通信システムにおける別のメニューの一実施形態のスクリーンショットを示す図である。
【００１６】
【図７】本発明の機能を組み込んだ方法の一実施形態を示すフローチャートである。
【００１７】
【図８】本発明の実施形態を実行するように使用することができる代表的なアーキテクチャの一実施形態のブロック図である。
【好適な実施形態の詳細な説明】
【００１８】
図1を参照する。図1は、本発明の機能を組み込んだシステム1の斜視図である。本発明は、図面に示された実施形態を参照して記述されるが、本発明は、多数の代替的形態の実施形態に組み込むことができるものであると理解されたい。加えて、あらゆるサイズ、形状、またはタイプの要素または材料を使用することが可能である。
【００１９】
図1を参照する。本発明によるモバイル通信端末1は、一般的に、ハンドヘルドポータブルまたは携帯電話の形態とすることができる。しかし、別の実施形態では、本発明の機能は、例えば携帯情報端末（Personal Digital Assistant: PDA）または、モバイル通信またはメッセージングに使用することができる他のデバイスのような、他のコンピュータまたはモバイル端末によって実行することもできる。
【００２０】
図1に示されるように、携帯電話1は、筐体2と、ディスプレイ3と、オン/オフボタン4と、スピーカ5（開口部のみ示す）と、マイクロホン6（開口部のみを示す）とを有するユーザーインターフェースを備える。一実施形態では、電話器1は、GSM 900/1800 MHzネットワークのような、携帯電話ネットワークを介して通信するように構成されるが、符号分割多重アクセス（Code Division Multiple Access: CDMA）ネットワーク、3Gネットワーク、または可能なVoIPネットワークをカバーするTCP/IPベースのネットワーク（例、WLAN（Wireless Local Area Network）、WIMAX（Worldwide Interoperability for Microwave Access）、または類似物を介して）で使用するように好都合に構成することも可能である。
【００２１】
図1に示されるように、電話器1のキーパッドには英数字キーとして第一のグループ7のキー8があり、これらのキーによって、ユーザーは、電話番号の入力、テキストメッセージ（SMS）の書き込み、（電話番号に関連付けられた）名前の書き込みなどを行うことができる。図1のキーパッドおよび配列は、例示的なものに過ぎず、あらゆる好適なキーパッドおよび配列を使用して、本発明の実施形態を実行することができることに留意されたい。
【００２２】
12個の英数字キー8は、数字の「0乃至9」または記号「#」または「*」をそれぞれ備える。アルファベットモードでは、各キーは、テキストの編集で使用される複数の文字および特殊記号に関連付けられる。一般的に、あらゆる好適な配列のキー、文字、シンボル、および記号を使用することができる。
【００２３】
図1を参照する。キーパッドは、2つのソフトキー9と、2つの通話処理キー12と、5方向ナビゲーションキー10（上、下、左、右、および中央: 選択/起動）とからなる、第二のグループのキーをさらに備える。ソフトキーの機能は、電話器の状態に依存させることができ、メニュー内のナビゲーションは、ナビゲーションキーを使用することによって行われる。ソフトキー9の現在の機能は、キー9の真上のディスプレイ3内の別個のフィールド（ソフトラベル）内に示される。2つの通話処理キー12は、通話または三者通話の確立、通話の終了、または着信の拒否に使用される。
【００２４】
一実施形態では、矢印キー10は、例えば、カーソルの移動、スクロール、選択に使用することができ、電話器のディスプレイ3と英数字キーグループ7との間の前面部中央に配置された5方向キーを備えることができる。着脱可能な背面カバー14は、電話器の背部にあって、携帯電話の電子部品に電力を供給するバッテリーパックへのアクセスを提供する。
【００２５】
図1の実施例では、携帯電話は、一般的に、カラー画像を表示することができるTFTマトリクスのような、オプションでバックライトを備えるLCDからなるフラットディスプレイ3を有する。
【００２６】
図2は、本発明の機能を実行するために使用することができる、図1のモバイル端末1の一般的なアーキテクチャの一実施形態に関する形態のブロック図である。プロセッサ18は、トランスミッタ/レシーバ回路19および内部アンテナ20を介して携帯電話ネットワークとの通信を制御する。マイクロホン6は、ユーザーの音声をアナログ信号に変換し、それによって形成されたアナログ信号は、音声がデジタル信号処理ユニット14 （DSP）においてコード化される前に、A/D変換器（図示せず）においてA/D変換される。コード化された音声信号は、例えばGSM端末ソフトウェアに対応する、プロセッサ18に転送される。プロセッサ18は、例えばRAMメモリ17aおよびフラッシュROMメモリ17bと、SIMカード16と、ディスプレイ3と、IrDAコントローラ35と、Bluetoothコントローラ25と、シリアルポート36、61およびキーパッドコントローラ29と、外部RAM 27およびキーパッド2 （およびデータ、電源など）を含めることができる装置の周辺ユニットへのインターフェースも形成する。デジタル信号処理ユニット14は、信号を音声に復号化して、プロセッサ18からD/Aコンバータ（図示せず）を介してスピーカ5に転送する。
【００２７】
本発明によって、一般的に、ユーザーは、着信履歴機能で格納された番号に関連する追加連絡先データもしくは情報（または、他の接続もしくは連絡先データ）にアクセスするために、簡略化された方法で、携帯電話デバイスのメニューまたはスクリーン内をさらに容易にナビゲートすることができる。前記データには、ユーザーが、電話帳または連絡先リスト内を検索するために、着信履歴機能から抜けずにアクセスすることができる。連絡先データまたは番号という用語は、一般的に、本発明の機能の説明に関して使用されているが、連絡先番号、情報、またはデータとは、例えば、電話番号、携帯電話の接続データ、および電子メールアドレスを含む、あらゆる好適な形態の接続情報を含むものを意味することに留意されたい。
【００２８】
図3を参照する。本発明の機能を組み込んだ携帯電話または端末によって、一般的に、ユーザーは、端末の「通話記録」メニュー302にアクセスすることができる。通話ログは、着信履歴と称することもできる。ユーザーは、電話器のメニュー機能を入力して、通話ログメニュー302の機能へナビゲートする可能性がある。通話ログは、不在通話、受信通話、または発信通話に関する情報を記録または格納する。これらの特定のメニューには、一般的に、電話器の「選択」機能304に対応する、電話器のキーまたはボタンを起動させることによってアクセスする。例えば、通話ログメニュー302が図1の電話器のスクリーン3上に表示されているときに、ユーザーは、左ボタン9を押すことによって、「選択」機能304を起動させることができる。次いで、別のスクリーンが電話器上に表示され、これによってユーザーは、「不在着信」、「発信通話（Dialed Calls）」、または「受信通話（Received Calls）」メニューにアクセスすることができる。これらのプロシージャは、一般的に既知のものである。
【００２９】
デバイスの不在着信メニューにアクセスするために、ユーザーは、通話記録メニュー302に至るまで、電話器のスクリーンおよびメニューを介してナビゲートする。選択機能304を使用することによって、例えば図4に示されるように、不在着信メニューへナビゲートすることができる。例えば、図4を参照して、ユーザーが不在通話を見たい場合、ユーザーは、不在通話のリスト420がディスプレイに表示される、不在通話ページ410へ進む。ユーザーは、次いで、例えばRoss 12のような、名前または番号へスクロールすることができる。番号が電話帳内のメモリエントリと一致する場合、その番号に関連付けられた名前が通話リスト420内に表示されることは一般に知られている。一般的に、通話を受けたとき、発信側番号の識別名またはその番号自体が、電話器のメモリ内に格納された番号と比較される。メモリは、例えば、連絡先データフォルダまたはリスト、または電話器の電話帳を備えることが可能である。別の実施形態では、メモリは、例えばアドレス帳のような連絡先情報を格納した、あらゆる好適なデバイスまたは端末の機能を備えることが可能である。なお、この時点で、ユーザーが不在通話に関連付けられた人との通信を望む場合は、ユーザーは、通話相手が最初の通話に使用したものと同じ番号を介した応答または発信に制限される。ユーザーが電話器内に格納することが可能な別の番号を使用して、不在通話相手412への連絡を望む場合、ユーザーは、不在通話メニューおよび通話ログメニューを抜けて、例えば連絡先リスト、アドレス帳、電話帳、または連絡先情報を格納した他のメモリ格納領域を検索しなければならない。
【００３０】
図5a乃至5dを参照する。ユーザーは、デバイスの不在着信メニュー510にアクセスしている。図5aに示されるように、不在通話514、516、および518は、電話器のスクリーンに表示される。電話器のスクロールオプションを使用することで、ユーザーは、スクリーンをスクロールして、存在する場合は、他の不在通話を示すことが可能である。図5aに示されるように、不在通話は、連絡先名514および516、または出られなかった通話相手の電話器の電話番号518によって識別される。
【００３１】
発信側番号とメモリに格納された番号との一致が見つかった場合、その発信側番号に関連付けられた連絡先情報が通話ログ内に表示される。したがって、例えば、エントリ「Ross」514は、その不在通話の発信側番号が、すでに保存されてRossという名前に関連付けられた発信側番号と一致することを示す。電話番号エントリ518は、いかなる一致も見つからず、またその特定の電話番号に関連するいかなる他の情報も格納または保存されていないことを示す。
【００３２】
図5aでは、ハイライトされたバーによって示されているように、ユーザーは、Rossというエントリ514を選択している。右を指す矢印アイコン520は、更なる連絡先データが利用可能であることを示す。ユーザーが、例えば機能キーまたはカーソルの右側を押すことによって選択機能の右側にアクセスすると、図5bの拡張サブメニュー530にアクセスすることができる。拡張サブメニュー530は、メモリ内に格納された追加情報および連絡先データを示す。スクリーンショット530には、2つの番号「65303880」および「62227723」が表示されている。図5bに示されるように、スクリーン530上の上矢印532および下矢印534は、表示することができる追加データおよび情報を示す。別の実施形態では、追加データが存在することを、任意の好適な様態で表示することができる。
【００３３】
ユーザーは、選択デバイスを操作して、拡張サブメニュー530内に示されるエントリ536と538との間を移動することができる。例えば、図5cへの移動にあっては、ユーザーは、メニュー530を下へスクロールして、番号「62227723」を現在ハイライトしている。別の連絡先情報540、電子メールアドレス「ross@hot...」が示される。選択されたエントリ536がハイライトされると、ユーザーは選択デバイスを矢印アイコン542の方に操作して、図5dに示されるメニュー550にアクセスし、相手方と通信するための1つ以上のオプションをユーザーに示す。
【００３４】
図5dへの移動にあっては、ユーザーは、番号「62227723」の接続の選択肢またはオプションを表示させるために、図5cの右矢印機能542を起動させている。図5dに示されるように、これらのオプションには、例えば、Call 552と、メッセージ送信 554、またはマルチメディア送信 556が挙げられる。
【００３５】
図5aに戻る。「不在着信」メニュー510は、ユーザーが「Ross」514からの通話に出られなかったことを示す。ユーザーは、現在「Ross」に折り返し通話することを望んでいるが、不在着信リストに格納された、「Ross」がかけたものと同じ番号にかけることを望んでいないものとする。選択表示520は、「Ross」の他の接続データが利用可能であることをユーザーに示す。端末または他の選択デバイス上の適切なキーを使用することによって、ユーザーは、Ross 514をハイライトまたは選択した後に、図5bの拡張サブメニューにアクセスする。ユーザーは、拡張サブメニュー530に移動し、所望の電話番号または（電子メールアドレスのような）他の連絡先情報を選択するように表示されるエントリ536、537 （図5c）、538を通じて移動する。537の連絡先データを図5cに示すが、これは図5bに示されるメニュー530の一部である。ユーザーが図5c内の所望の連絡先通信情報536を選択すると、ユーザーは、機能またはキー542を起動して、利用可能な通信オプションをユーザーに提供する図5dのメニューページ550を選択する。図5cに示されるように、右矢印アイコン542は、通信モードメニュー550ページへのポインタである。図1の機能キー9の右側のような電話器上の対応するキーを起動することによって、メニューページ550が、電話器または端末デバイスのスクリーン上に表示される。図5dに示されるように、ユーザーが利用できるようにする通信モードには、例えば、Callモード552と、メッセージ送信モード554と、マルチメディア送信モード556が挙げられる。Callモード552によって、ユーザーは通話を確立することができる。メッセージ送信モード554によって、ユーザーはメッセージを送信することができる。マルチメディア送信モード556によって、ユーザーはマルチメディアメッセージを送信することができる。別の実施形態では、メニュー550は、あらゆる好適なタイプの通信モードを含めることができる。表示されている通信モードメニュー550によって、ユーザーは、通信オプション552乃至556を通じてナビゲートまたはスクロールして、所望の通信機能を選択することができる。したがって、図5aの最初の不在通話メニュー510から図5cの別の連絡先情報メニュー530へナビゲートすることによって、ユーザーは、直接的かつ簡略化された様態で、相手に関係する別の連絡先情報を見つけることができる。ユーザーは、通話ログ機能を抜けて電話帳または連絡先リスト機能へ入り、別の連絡先情報を見つけてアクセスする必要が無い。
【００３６】
図6a乃至6dを参照する。同様に、ユーザーは、モバイル端末または電話器の発信通話（Dialed Calls）メニュー610にアクセスしている。繰り返すが、従来のシステムにおいて、ユーザーが以前にかけた番号の相手番号または名前（この例では「Ross」604）を見つける場合である。ユーザーは、その相手との別の通信セッションの確立を望んでいるが、異なる連絡先番号または方法を使用する。予め、ユーザーは、発信通話機能メニュー610を抜けて、電話器の電話帳または他の類似した機能を見つけて検索しなければならない。図6aを参照する。本発明では、ユーザーは、最初の発信通話メニュー610から拡張サブメニュー620にアクセスして、図6aに示される発信番号604に関連付けられた別の連絡先情報621および622を得る。
【００３７】
図6aを参照する。ユーザーは、発信通話（Dialed Calls）メニュー610に入る。以前にダイヤルした番号（「発信通話（Dialed Calls）」）は、図5aの「不在着信」メニュー510に類似した様態で表示される。電話器の電話帳または連絡先リスト内のエントリと一致した発信番号が、発信通話リスト610内に名前602乃至604として表示される。メニュー610は、メニュー全体の一部分となる場合があり、メニュー610が表示されるスクリーンの表示領域によって制限されることに留意されたい。図6aでは、例えば、「Ross」604、「Huang Kun」603、および番号「65392828」602が、メニュー610に示されている。「Ross」604および「Huang Kun」603に関連付けられたデータは、以前に端末内に格納されているので、これらの相手のダイヤルした電話番号ではなく、名前を表示することができる。別の実施形態では、あらゆる好適な識別情報またはアイコンを表示することができる。例えば、図示していないが、グラフィック画像または画像をメニュー610内にリストされた通話に関連付けることが可能である。「Ross」604および「Huang Kun」603にはそれぞれ右矢印アイコン608および606があり、これらは、名前または連絡先に関連付けられた更なる連絡先情報が利用可能であることを示す。（例えば、図1の電話器のキー入力10を使用して）右矢印アイコン608を起動または選択することによって、サブメニューページ620がアクティブになり、ユーザーに表示される。
【００３８】
図6aを参照する。ユーザーは、メニュー610内の「発信通話（Dialed Calls）」のリストをナビゲートまたはスクロールして、図6aの例では「Ross」604である所望の発信番号を選択またはハイライトする。一実施形態では、あらゆる好適な機構を使用することができるが、ダイヤルした最後の番号を自動的にハイライトさせることが可能である。
【００３９】
ハイライトされた連絡先604には関連付けられた更なる連絡先情報があるので、例えば矢印のようなインジケータまたはアイコン608が、モバイルデバイスの対応する選択キーを起動することを示す。連絡先604がハイライトされた後に、「右側の」選択キー608を起動することによって、図6bに示されるように、拡張サブメニュー620が表示される。選択キーは、従来技術において既知のものであり、例えば固定キーまたは4方向スクロールキーが挙げられる。
【００４０】
図6bに戻る。ユーザーがサブメニュー620に入った後に、連絡先604に関連する他の連絡先または接続データを見つけたい場合、ユーザーは、エントリ622を通じて、拡張サブメニュー620内をスクロールする。アイコンまたは矢印623および624の存在を使用して、ユーザーがその方向にスクロールした場合に、追加情報が存在することを示すことができる。ユーザーは、所望のエントリ（例、図6cの「62227723」）を見つけると、そのエントリ631を選択またはハイライトすることができる。方向アイコン632は、対応する選択キーを起動して、図6dの通話オプションメニュー640に進むようにユーザーに示し、ユーザーは、メニューオプションを通じてナビゲートして、連絡先604とどのように通信するのかを選択することができる。図6dに示されるように、オプションの「Call（通話）」が選択され、図1に示される端末のキーパッドの対応する機能キーを起動することで、選択された番号631への通話を起動または開始することができる。
【００４１】
図7を参照する。図7は、本発明の機能を組み込んだ方法の一実施形態のフローチャートを示す図である。本発明は、携帯電話内の着信履歴メニューからの別の連絡先情報の検索を簡略化することを目的とするものである。ユーザーは、702で電話器の通話ログビューに入り、704で通信デバイスの通話ログまたは着信履歴機能に関連付けられた番号を調べる。ユーザーは、706で選択キーを使用して、通話ログから所望の番号または名前を選択する。次いで、ユーザーは、708で追加連絡情報が利用可能であるかどうかを判断する。選択された名前に関連付けられたアイコンまたはポインタ（例、右矢印）は、矢印に対応する端末または電話器のキーを起動したときに、別の連絡先情報が利用可能であることを明らかにする。拡張サブメニューに入ると、ユーザーは、リストを通じてナビゲートして、712で連絡先を選択することができる。次いで、通信モード機能に対応するキーを起動させることによって、ユーザーは、714で、通信モードに入って通信リンクを確立することができる。
【００４２】
本発明は、異なるコンピュータで実行される上述のプロセスステップおよび命令を組み込んだ、ソフトウェアおよびコンピュータプログラムを含めることも可能である。図8は、開示された実施形態の機能の実行に使用することができる、代表的な装置の一実施形態のブロック図である。示されるように、本発明の端末デバイスは、コンピュータシステム804を含むことが可能である。コンピュータシステム804は、一般的に、コンピュータ804に本発明の方法ステップを実行させるように構成された機械可読プログラムのソースコードを組み込んだプログラム格納デバイスを利用するように構成される。本発明の機能を組み込んだプログラム格納デバイスは、光学、磁気プロパティおよび/または電子機器を用いた機械の構成要素として考案、製作、および使用して、本発明のプロシージャおよび方法を実行することが可能である。別の実施形態では、プログラム格納デバイスは、コンピュータによる読み取りおよび実行が可能であるディスケットまたはコンピュータハードディスク装置のような磁気媒体を含めることが可能である。別の実施形態では、プログラム格納デバイスは、光ディスク、読み出し専用メモリ（read-only-memory:「ROM」）、フレキシブルディスク、および半導体材料およびチップを含めることが可能である。
【００４３】
一実施形態では、コンピュータシステム、すなわち端末804は、コンピュータ802および804が、互いに情報を送信し、互いから情報を受信できるように、別のコンピュータシステム802にリンクすることができる。一実施形態では、コンピュータシステム802は、例えば携帯電話通信ネットワークのようなネットワーク806と通信するように構成されたサーバーコンピュータを含めることが可能である。コンピュータシステム802および804は互いに、モデム、ハードワイヤ接続、光または光ファイバリンクを含む、あらゆる従来の様態で互いにリンクすることができる。一般的に、情報は、通信チャネルを通じて、またはISDNライン上のダイヤルアップ接続を介して送信される通信プロトコルを使用して、コンピュータシステム802および840の両方を利用できるようにすることができる。
【００４４】
コンピュータシステム804および802は、格納されたプログラムを実行するためのマイクロプロセッサを含むことも可能である。図8に示されるように、コンピュータ802は、情報およびデータの格納のために、そのプログラム格納デバイス上にデータ格納デバイス808を含めることが可能である。本発明の機能を組み込んだプロセスおよび方法を組み込んだコンピュータプログラムまたはソフトウェアは、他の従来のプログラム格納デバイス上の1つ以上のコンピュータ804（および802）内に格納することが可能である。一実施形態では、コンピュータ804は、本発明の機能にアクセスすることができるユーザーインターフェース810と、ディスプレイインターフェース812とを含めることが可能である。一実施形態では、ユーザーインターフェース810およびディスプレイ812は、例えばグラフィカルユーザーインターフェースのような、単一のディスプレイインターフェースユニットを備えることができる。ユーザーインターフェース8810およびディスプレイインターフェース812は、システムへのクエリーおよびコマンドの入力、ならびにコマンドおよびクエリーの結果を示すことができるように構成することができる。
【００４５】
上述の記述は、本発明を例証するに過ぎないものであると理解されたい。種々の変形例および改良は、本発明から逸脱することなく、当業者によって案出することができる。したがって、本発明は、添付の請求項の範囲内にある当該の代替、改良、および変更を全て包含することを意図するものである。
【図１】
2008544618.tif 000003
【図２】
2008544618.tif 000004
【図３】
2008544618.tif 000005
【図４】
2008544618.tif 000006
【図５】
2008544618.tif 000007
【図６】
2008544618.tif 000008
【図７】
2008544618.tif 000009
【図８】
2008544618.tif 000010
【国際調査報告】
2008544618.tif 000011
2008544618.tif 000012
2008544618.tif 000013
2008544618.tif 000014